(57)【特許請求の範囲】
【請求項１】
上部に浮体を備え、複数の支持体をつないで支持体の周方向に複数本の係留索が取り付けられた籠状柱体部が、複数本アンカー部に係留されており、前記複数の支持体の一部若しくは全部が、浮体を兼ねており、前記複数本の籠状柱体部の間が、連結索で連結されていることを特徴とする人工魚礁。
【請求項２】
上部に浮体を備え、複数の支持体をつないで支持体の周方向に複数本の係留索が取り付けられた籠状柱体部が、複数本アンカー部に係留されており、前記複数の支持体の一部若しくは全部が、浮体を兼ねており、前記複数本の籠状柱体部の間が、網で覆われていることを特徴とする人工魚礁。
【請求項３】
前記籠状柱体部が網によって囲まれていることを特徴とする請求項１又は２に記載の人工魚礁。
【請求項４】
上部に浮体を備え、複数の支持体をつないで１列の係留索が取り付けられた状態で網によって囲まれた籠状柱体部が、複数本アンカー部に係留されており、前記複数の支持体の一部若しくは全部が、浮体を兼ねており、前記複数本の籠状柱体部の間が、連結索で連結されていることを特徴とする人工魚礁。
【請求項５】
上部に浮体を備え、複数の支持体をつないで１列の係留索が取り付けられた状態で網によって囲まれた籠状柱体部が、複数本アンカー部に係留されており、前記複数の支持体の一部若しくは全部が、浮体を兼ねており、前記複数本の籠状柱体部の間が、網で覆われていることを特徴とする人工魚礁。
【請求項６】
前記複数本の籠状柱体部の間が、網で覆われていることを特徴とする請求項１，３，４のいずれかに記載の人工魚礁。
【請求項７】
前記複数本の籠状柱体部と連結索又は／及び網で囲みを構成していることを特徴とする請求項１〜６のいずれかに記載の人工魚礁。
【発明の詳細な説明】
【０００１】
【発明が属する技術分野】
本発明は、アンカー部に係留された浮体によって浮揚設置されるフロート型の人工魚礁に関する。
【０００２】
【従来の技術】
従来、フロート型の人工魚礁としては、繊維強化プラスチックの帯条を交差する螺旋状に巻いた籠状の魚礁本体の上部に浮体を取り付け、この浮体を備えた魚礁本体を、係留索で多数アンカー部に係留したものが知られている（実公平３−４７４９２号公報）。このフロート型の人工魚礁は、主に底層魚を対象としたもので、魚礁本体を海底付近に浮揚させるものとなっている。
【０００３】
【発明が解決しようとする課題】
ところで、ある程度の深度の海域（水深５０〜２００ｍ程度の海域）において、上記従来の人工魚礁のように底層魚のみを対象とするのではなく、表層魚や中層魚をも一括して対象とすることができれば効率的である。
【０００４】
しかしながら、上記従来の人工魚礁の魚礁本体は、ドラムに繊維強化プラスチックの帯条を巻き付けて成形することになるので、製造できる魚礁本体の高さに制限があり、底層魚から表層魚までを対象とすることができる高さの魚礁本体の製造は現実的には困難である。係留索の長さを変え、浮遊位置の異なる魚礁本体を混在させることで、底層魚から表層魚までを対象とすることができるようにすることも考えられるが、係留索の絡み合いを生じる原因となる。
【０００５】
本発明は、上記従来の問題点にかんがみてなされたもので、表層魚から底層魚までを一括して対象にできる魚礁の高さが容易に得られるようにすることを主たる目的とする。
【０００６】
【課題を解決するための手段】
上記目的を達成すべくなされた本発明の構成は以下の通りである。
【０００７】
すなわち、本発明の第１は、上部に浮体を備え、複数の支持体をつないで支持体の周方向に複数本の係留索が取り付けられた籠状柱体部が、複数本アンカー部に係留されており、前記複数の支持体の一部若しくは全部が、浮体を兼ねており、前記複数本の籠状柱体部の間が、連結索で連結されていることを特徴とする人工魚礁である。
本発明の第２は、上部に浮体を備え、複数の支持体をつないで支持体の周方向に複数本の係留索が取り付けられた籠状柱体部が、複数本アンカー部に係留されており、前記複数の支持体の一部若しくは全部が、浮体を兼ねており、前記複数本の籠状柱体部の間が、網で覆われていることを特徴とする人工魚礁である。
【０００８】
本発明の第１及び第２の人工魚礁は、籠状柱体部が網によって囲まれた人工魚礁とすることも好ましい。
【０００９】
また、本発明の第３は、上部に浮体を備え、複数の支持体をつないで１列の係留索が取り付けられた状態で網によって囲まれた籠状柱体部が、複数本アンカー部に係留されており、前記複数の支持体の一部若しくは全部が、浮体を兼ねており、前記複数本の籠状柱体部の間が、連結索で連結されていることを特徴とする人工魚礁である。
本発明の第４は、上部に浮体を備え、複数の支持体をつないで１列の係留索が取り付けられた状態で網によって囲まれた籠状柱体部が、複数本アンカー部に係留されており、前記複数の支持体の一部若しくは全部が、浮体を兼ねており、前記複数本の籠状柱体部の間が、網で覆われていることを特徴とする人工魚礁である。
【００１０】
本発明の第１〜第４の人工魚礁は、複数本の籠状柱体部と前記連結索又は／及び網で囲みを構成している人工魚礁とすることも好ましい。
【００１１】
【発明の実施の形態】
図１は、本発明の第１に係る人工魚礁の一例を示す斜視図で、図中１は籠状柱体部、２は浮体、３はアンカー部である。
【００１２】
籠状柱体部１は、細長い籠状の柱状体で、複数の支持体４と係留索５とから構成されている。
【００１３】
図１に示した例では、支持体４は環状体を成しており、その中心軸方向に間隔をあけて上下に複数配置されている。かかる支持体４は、環状体のものに限らず、円盤状体、円柱状体、角柱状体、球状体等、所望の形状のものを採用することができる。
【００１４】
支持体４は、例えば繊維強化プラスチックや防食被覆を施した金属等によって構成することができ、また、後述のように支持体４を浮体として兼用する場合には、従来から浮体として用いられているもので構成することができる。
【００１５】
係留索５は、例えば合成繊維ロープ、防食被覆を施した金属ワイヤー等、屈曲性及び柔軟性を有する長尺のロープ状物で、上記各支持体４に固定されていてこれらをつなぐと共に、支持体４の周方向に複数本配置されている。各係留索５は、支持体４によって蛇行が抑制されており、支持体４と共に全体として細長い籠状の柱状体（籠状柱体部１）を構成している。
【００１６】
この籠状柱体部１には、複数の支持体４及び係留索５で囲まれた魚が潜みやすい空間が形成されており、本例のように支持体４として環状体を用いた場合には、籠状柱体部１の全長にわたって連続した空間が形成される。
【００１７】
浮体２は、籠状柱体部１の上部に取り付けられており、海中で籠状柱体部１を浮揚させるに十分な浮力を有するものである。
【００１８】
アンカー部３は、上記浮体２を備えた籠状柱体部１を係留するためのもので、例えばコンクリート構造物等の重量物である。アンカー部３への籠状柱体部１の係留は、図示されるように、籠状柱体部１を構成している各係留索５を下端部で束ねてアンカー部３に連結することで行うことが簡便で連結強度も得やすいが、各係留索５を束ねずに、柱状位置のままアンカー部３に連結すれば、籠状柱体部１の下端部においても内部空間を維持できる利点がある。
【００１９】
本例における支持体４は円形で、籠状柱体部１も下端部を除いて円柱状となっているが、支持体４を例えば多角形や楕円形等として、籠状柱体部１を角柱状や楕円柱状等とすることもできる。また、籠状柱体部１を構成する係留索５同士の間隔を狭くすれば、籠状柱体部１内を密に囲まれた環境とすることができる。
【００２０】
本発明の第１の人工魚礁においては、図２に示すように籠状柱体部１を網８で囲むようにすることが好ましい。このようにすると、藻や微生物の繁殖を促す人工魚礁の表面積を容易に増大させることができる。なお、網８としては、通常の漁網様のものを用いることができ、設置海域の魚の種類等に応じて網８の目の大きさを選択することができる。
【００２１】
次に、本発明の第２に係る人工魚礁について説明する。
【００２２】
図３は、本発明の第２に係る人工魚礁の一例を示す斜視図で、図中１は籠状柱体部、２は浮体、３はアンカー部である。
【００２３】
籠状柱体部１は、先と同様、細長い籠状の柱状体で、支持体４、１列の係留索５及び網８とから構成されている。
【００２４】
図３に示した例では、支持体４は円盤状体を成しており、その中心軸方向に間隔をあけて上下に複数配置されている。かかる支持体４は、円盤状体のものに限らず、１列の係留索５によってバランス良く連結できるものであれば円柱状体、角柱状体、球状体等、所望の形状のものを採用することができる。
【００２５】
浮体２、アンカー部３、支持体４、係留索５及び網８は、前述の本発明の第１に係る人工魚礁と同様のものを用いることができる。
【００２６】
本例の人工魚礁においては、複数の支持体４は、その略中心部分において係留索５によって連結された状態で網８によって囲まれて、全体として細長い籠状の柱状体（籠状柱体部１）を構成している。
【００２７】
即ち、本発明の第２に係る人工魚礁では、本発明の第１のように支持体４の周方向に係留索５を複数本（複数列）配置する代わりに、１列の係留索５で連結された複数の支持体４を網８によって囲むことにより籠状柱体部１を構成しているものである。なお、ここで言う１列の係留索５には、全長にわたって連続した１本のものや、支持体４間毎に分離しているものも含まれる。
【００２８】
本発明の第２の人工魚礁においても、設置海域の魚の種類等に応じて網８の目の大きさを選択することができる。
【００２９】
以上説明した本発明の人工魚礁においては、籠状柱体部１は、係留索５を長くし、それに応じて支持体４の数を増やすことで、容易に高さの高いものを得ることができる。従って、例えば、水深１００ｍ程度の海域に高さ８０ｍ程度の籠状柱体部１を有する本人工魚礁を設置すれば、表層魚、中層魚、底層魚の総てを一括して対象とすることが可能である。
【００３０】
このように本発明の人工魚礁は、魚礁となる籠状柱体部１を容易に高く（長く）形成できる点に最大のメリットがあり、このように高く形成される籠状柱体部１は従来のものよりも大きな重量となりがちである。従って、浮体２にも大きな浮力が要求されることになり、従来のものに比べ大きな浮体２や、より高強度の係留索５が要求される場合がある。
【００３１】
このため、本発明の人工魚礁においては、図４に示すように支持体として浮体を兼ねる構造の支持体４’を用いることが好ましい。このような人工魚礁では、浮力を分散でき浮体２をより小型のものにすることができると共に、浮体２を支える係留力が軽減されるため高強度の係留索５を必要としない。
【００３２】
図４においては、全ての支持体に浮体２と同様の支持体４’を用いているが、このような支持体４’と前述の支持体４とを適宜組み合わせることもできる。この場合には、係留力を効果的に分散できるように、例えば所定の個数の支持体に１個の割合で支持体４’を用いたり、支持体４’を所定のピッチで設けるなどの設計をすることが好ましい。
【００３３】
尚、図４は図１に対応した人工魚礁を示しているが、図２及び図３に示したような人工魚礁においても、支持体４’と支持体４とを適宜組み合わせて用いることができる。
【００３４】
以上例示した図１〜図４の人工魚礁では、１本の籠状柱体部１がアンカー部３に係留されているものとなっているが、本発明の人工魚礁はこれに限定されるものではなく、複数本の籠状柱体部１をアンカー部３に係留したものとすることができる。
【００３５】
以下、複数本の籠状柱体部１をアンカー部３に係留した本発明の人工魚礁の例を、図５〜図１１を用いて説明する。
【００３６】
図５〜図７はいずれも、図４に示したような籠状柱体部１をアンカー部３に２本係留した例を示す斜視図である。
【００３７】
図５は２本の籠状柱体部１を単に所定の間隔を置いて係留させたもの、図６は２本の籠状柱体部１間を連結索７で連結したもの、図７は２本の籠状柱体部１間を網８で覆ったものである。
【００３８】
図６のように、籠状柱体部１間を連結索７で連結すると、例え片方の籠状柱体部１の係留が外れたり切断されても、係留が維持されている他の籠状柱体部１によってその漂流が防止される。また、各籠状柱体部１が柱状をなしていると共に、この籠状柱体部１’同士が連結索７で連結されて、全体として平面的な柵状をなしているため、隣接して多数設置した場合にも相互に絡み合いにくい。
【００３９】
連結索７としては、係留索５と同様の屈曲性、柔軟性を有するロープ状物で構成されたものを用いることができる。なお、連結索７による連結は、必要な連結強度が得やすいことから、籠状柱体部１の支持体４’間に掛け渡すことで行うことが好ましい。
【００４０】
また、図７のように、２本の籠状柱体部１間を網８で覆った場合には、藻や微生物の繁殖を促す人工魚礁の表面積を容易に増大させることができる。尚、図６に示した連結索７を網８と一緒に取り付けることもできる。
【００４１】
ところで人工魚礁には、藻や微生物が繁殖しやすい環境を整えると共に、魚が潜みやすい環境を整える役割がある。魚が潜みやすい環境としては、周囲がある程度囲まれた空間を形成することが望ましいとされている。前述のように、本発明の人工魚礁では籠状柱体部１内の空間がこの役割を果たすものであるが、図５〜図７に例示した人工魚礁では２本の籠状柱体部１を有すると言っても、個々の籠状柱体部１内の空間以上の空間を形成するものではない。また、３本以上の籠状柱体部１を配置したとしても、直線状に配置したのでは新たな空間を形成することができない。
【００４２】
そこで、個々の籠状柱体部１内の空間以上の空間を形成し、種々の大きさの魚に容易に対応できるようにした例について、図８〜図１１を用いて説明する。
【００４３】
図８〜図１１は、図１若しくは図２に示したような籠状柱体部１をアンカー部３に４本係留した例を示す斜視図である。
【００４４】
図８は図１に示した籠状柱体部１間を連結索７で連結したもの、図９は図２に示した籠状柱体部１間を連結索７で連結したもの、図１０は図８において籠状柱体部１間を更に網８で覆ったもの、図１１は図９において籠状柱体部１間を更に網８で覆ったものである。
【００４５】
これらの例はいずれも、籠状柱体部１と連結索７等によって、中央部を平面ほぼ正方形状に囲む、柵状の囲みを構成している。すなわち、籠状柱体部１と連結索７等によって、籠状柱体部１内の空間とは別の、魚が潜みやすい空間を中央部に形成しているものである。
【００４６】
また、図１０及び図１１のように、連結索７が位置する籠状柱体部１間を網８で覆ったものにあっては、藻や微生物の繁殖を促す人工魚礁の表面積を容易に増大させることができ、特に図１１のように、籠状柱体部１と連結索７で構成された囲みの周囲を網８で囲んだものにあっては、藻や微生物の繁殖を促す人工魚礁の表面積を最大限に増大させることができる。なお、図１１のように囲み全体を網８で囲んだものは、図９に示される、籠状柱体部１を囲む網８と、図１０に示される、連結索７が位置する籠状柱体部１間を覆う網８との両者を設けることでも得られるし、さらにその周囲を網８で囲んでもよい。
【００４７】
これらの例において、籠状柱体部１内の空間と、籠状柱体部１と連結索７等で囲まれた中央部の空間との間には、空間環境の変化を付けることが好ましい。例えば、籠状柱体部１を構成する支持体４の径に比して籠状柱体部１間の間隔を大きくとれば、籠状柱体部１内を狭い空間とし、籠状柱体部１と連結索７等で囲まれた中央部の空間を広い空間とすることができる。また、籠状柱体部１間をつなぐ連結索７同士の間隔や、網８の目の大きさを適宜変更することにより、籠状柱体部１と連結索７等とが囲む中央部の空間を粗に囲まれた環境としたり、密に囲まれた環境とすることができる。
【００４８】
これらの例では、４本の籠状柱体部１によって中央部を平面ほぼ正方形状に囲んでいるが、平面長方形状に囲む位置に係留したりすることもできる。また、平面三角形状に囲む場合には籠状柱体部１を３本係留したり、さらには平面五角形以上の矩形に囲む場合には籠状柱体部１を５本以上係留することもできる。
【００４９】
なお、複数の籠状柱体部１を係留させた図５〜図１１の例において、アンカー部３は、海底に沈めやすいように板状物の中央部に開口部６が形成されたものとなっている。
【００５０】
上述した図１〜図１１の例のいずれを選択するかは、設置海域の環境、魚の種類等に応じて定めればよい。また、前述の網８を設ける場合は、それぞれ設置箇所の全高さに亙って取り付けることなく、例えば上部のみ、中間部のみ、下部のみ等、高さ方向の一部分についてのみ設けることもでき、さらには、目の大きさの異なる複数種類の網８を用いたり、一部の籠状柱体部１や籠状柱体部１間のみに網８を設けることもできる。
【００５１】
【発明の効果】
本発明は、以上説明した通りのものであり、次の効果を奏するものである。
【００５２】
（１）籠状柱体部１は、係留索５を長くし、それに応じて支持体４（４’）の数を増やすことで、容易に高さの高いものを得ることができる。従って、例えば、水深１００ｍ程度の海域に高さ８０ｍ程度の籠状柱体部１を有する本人工魚礁を設置すれば、表層魚、中層魚、底層魚の総てを一括して対象とすることができ、これまでにないきわめて効果的な人工魚礁とすることができる。
【００５３】
（２）籠状柱体部１内の空間部の環境を、籠状柱体部１を構成する支持体４（４’）の径の調整、係留索５間の間隔の調整若しくは網８の目の大きさの調整等により、容易に変化させることができる。従って、魚が潜みやすい変化に富んだ空間を容易に形成することができる。
【００５４】
（３）複数の支持体の一部若しくは全部に浮体を兼ねさせたものにあっては、上記のように極めて高い籠状柱体部１とした場合にも、浮力を分散でき、浮体２をより小型のものにすることができると共に、高強度の係留索５を必要とせず、汎用されている材料を用いて容易に効果的な人工魚礁を構成することができる。
【００５５】
（４）複数の籠状柱体部１間を連結索７等で連結したものにあっては、例え一部の籠状柱体部１の係留が外れたり切断されても、係留が維持されている他の籠状柱体部１によってその漂流が防止される。
【００５６】
（５）複数本の籠状柱体部１と連結索７又は／及び網８で囲みを構成したものにあっては、籠状柱体部１内と、囲み内との２つの別々の空間部を形成でき、しかもこの囲み内の空間部の環境を、籠状柱体部１間の間隔の調整、連結索７間の間隔の調整、網８の目の大きさの調整等により、容易に変化させることができる。従って、大小種々の魚が潜みやすい変化に富んだ囲み空間を容易に形成することができる。
【００５７】
（６）複数本の籠状柱体部１と連結索７又は／及び網８で囲みを構成したものにあっては、各籠状柱体部１が柱状をなしていると共に、全体としても柱状をなしているため、隣接して多数設置した場合にも相互に絡み合いにくい。
【図面の簡単な説明】
【図１】本発明の第１に係る人工魚礁の一例を示す斜視図である。
【図２】本発明の第１に係る人工魚礁の別の例を示す斜視図である。
【図３】本発明の第２に係る人工魚礁の一例を示す斜視図である。
【図４】本発明の第１に係る人工魚礁の別の例を示す斜視図である。
【図５】２本の籠状柱体部を有する本発明に係る人工魚礁の一例を示す斜視図である。
【図６】２本の籠状柱体部を有する本発明に係る人工魚礁の別の例を示す斜視図である。
【図７】２本の籠状柱体部を有する本発明に係る人工魚礁の別の例を示す斜視図である。
【図８】４本の籠状柱体部によって囲みを構成した本発明に係る人工魚礁の一例を示す斜視図である。
【図９】４本の籠状柱体部によって囲みを構成した本発明に係る人工魚礁の別の例を示す斜視図である。
【図１０】４本の籠状柱体部によって囲みを構成した本発明に係る人工魚礁の別の例を示す斜視図である。
【図１１】４本の籠状柱体部によって囲みを構成した本発明に係る人工魚礁の別の例を示す斜視図である。
【符号の説明】
１  籠状柱体部
２  浮体
３  アンカー部
４，４’  支持体
５  係留索
６  開口部
７  連結索
８  網
【図１】
0004208059.tif 000002
【図２】
0004208059.tif 000003
【図３】
0004208059.tif 000004
【図４】
0004208059.tif 000005
【図５】
0004208059.tif 000006
【図６】
0004208059.tif 000007
【図７】
0004208059.tif 000008
【図８】
0004208059.tif 000009
【図９】
0004208059.tif 000010
【図１０】
0004208059.tif 000011
【図１１】
0004208059.tif 000012